(57)【要約】      （修正有）【課題】車などのニオイが苦手な人のための乗り物酔い防止グッズとして、いつでも、どこでも、誰でも手軽に使用できるマスクを提供する。【解決手段】ガーゼ素材を幾重かに折りたたみ、上部に香料パック挿入部としてポケットを設け、その中にやや強い香りがする香料をパックにして挿入する。香料の種類をチョコレート、バニラエッセンス、イチゴ香料、オレンジ香料、ミント、コーヒーなど複数取り揃えることで各自の好みに合わせて変更する。【選択図】図１
0003177385.tif 000002
【実用新案登録請求の範囲】
【請求項１】
ガーゼマスク素材を幾重かに折りたたみ、上部は口が開く形状にし、外側面は重ね具合を多くして厚めに、鼻を覆う内側面は薄めにし、上部に、パック挿入部として開口部を設けたニオイ解決マスク。
【請求項２】
ガーゼマスク素材を幾重かに折りたたみ、上部は口が開く形状にし、外側面は重ね具合を多くして厚めに、鼻を覆う内側面は薄めにし、上部に、パック挿入部として開口部を設けたニオイ解決マスク。
【請求項３】
小型化し、鼻のみを覆う形状とした請求項１または請求項２に記載のニオイ解決マスク
【考案の詳細な説明】
【技術分野】
【０００１】
本考案は、ニオイにはニオイで対抗するという発想の下に、マスク内部に香料パックを挿入することにより、脳に、ある種の錯覚を起こさせ、車などのニオイが苦手な人が、より強い香りによって、乗り物酔いを抑えられる効果があるマスクである。
【背景技術】
【０００２】
香りつきマスクには、特開２００６−３２６００６号公報、特開２００７−８９７９７号公報に開示された技術がある。しかし、これらは、たとえば香りの持続性が長い等の長所はあるものの、必ずしも使い勝手が良いものではない。
また、従来のマスクには乗り物酔い防止の機能はない。花粉症対策その他種々の目的でマスク内部に濾紙や活性炭の脱臭剤を入れるマスクはある。しかし、マスク内部に香料を入れて、その強い香気を利用して、乗り物酔い防止等の機能を持たせたマスクは未だない。
【先行技術文献】
【特許文献】
【０００３】
【特許文献１】特開２００６−３２６００６号公報
【特許文献２】特開２００７−８９７９７号公報
【考案の概要】
【考案が解決しようとする課題】
【０００４】
このマスクは、従来の揺れによる乗り物酔いの理論とは発想が全く異なる。一般的に、乗り物酔いというと、体の内耳にある三半規管が体のバランスをとれなくなって引き起こす身体の諸症状でと説明されていることが多いが、考案者の場合はこれに該当しなかった。なぜなら、バスがまだ発車する以前、ステップの一段目に足をかけた乗車時点で、つまり、外気と車内の空気が入れ替わった瞬間に車酔いをしていたからである。一般的に認識されている揺れにより引き起こされる乗り物酔いには該当せず、ニオイにより引き起こされる乗り物酔いを発症する人の多くは、当日、欠席を余儀なくされるか、睡眠や食事若しくは酔い止め薬などで基本的には我慢しながら乗車しているのが現状である。
【０００５】
本考案は、当初、どうしても修学旅行に参加したかった考案者の個人的理由から編み出されたものであるが、我慢しながら乗車するのではなく、いやなニオイをほとんど気にせずに済む乗り物酔い防止マスクを提供することを目的としている。
【課題を解決するための手段】
【０００６】
ガーゼ素材を幾重かに折りたたみ、外側面はやや重ね具合を多くして厚めに、鼻を覆う内側面は薄めにすることにより周囲には香りの漏れを最小限に抑え、マスク使用者には最大限に香りを引き出す工夫をしたマスクの上部に、香料パック挿入部として開口部を設けたガーゼマスク、または、使い捨て不織布マスクに香料パック挿入部としてポケットを設けたマスク本体に香りを十分に引き出せる素材からなる香料パックを挿入したマスクを提供する。
【０００７】
第一の考案は、ガーゼマスク素材を幾重かに折りたたみ、上部は口が開く形状にし、外側面は重ね具合を多くして厚めに、鼻を覆う内側面は薄めにし、上部にパック挿入部として開口部を設けたニオイ解決マスクである。
【０００８】
また、第２の考案は、使い捨て不織布マスクにパック挿入部として内側にポケットを設けたニオイ解決マスクである。
【０００９】
また、第３の考案は、第１および、第２の考案のマスクにおいて、小型化し、鼻のみを覆う形状とした請求項１または請求項２に記載のニオイ解決マスクである。
【考案の効果】
【００１０】
主に、ニオイに反応して乗り物酔いを引き起こしてしまう人が、その解決のためにこのマスクを使用することになる。たとえば、幼児や学童、生徒の場合は、皆と一緒に遠足や修学旅行に参加でき、後に、楽しい思い出となるであろう。一方成人の場合には、仕事の幅を広げ、今まで逃してきたかもしれない様々なビジネスチャンスを手に入れることが可能になるかもしれない。
【００１１】
更に、乗り物に酔う人の心理的負担を軽減することにもつながる。何度となく、乗り物酔いをしてきた人は、乗り物酔いをしない人に比べ、酔うことで、他人に迷惑をかけてしまうという心理的負担を負っていることが多い。この心理的負担がマスクをするだけという手軽な手段でいくらかでも軽減されるであろう。
【００１２】
また、幼少時から乗り物酔いを繰り返してきた場合、遠足や修学旅行、社会科見学に至るまで参加を諦めてしまったり、たとえ参加しても途中で嘔吐してしまうなど、いやな思い出としてトラウマになっていることが多いものである。他人に迷惑をかけてしまったという体験が自信喪失ひいては消極的な性格形成につながることだけは避けたい。このマスクを使用することで、幼少時からもっと気軽に乗車できるようになり、楽しい思い出を作ることができれば、行動範囲が広がり、積極的な行動をとれるようになる一助になるかもしれない。
【００１３】
また、すでにトラウマを持っている成人であっても、多少なりとも自信を回復し、今後は、我慢を強いられることなく、乗り物酔いによる不快感や集中力の低下などが回避できれば、パワフルに行動でき、出張先でのチャンスを生かすことで営業成績が上がり、体力面で諦めていた昇進も努力次第で叶えられるかもしれない。
【００１４】
蛇足だが、通常、特に乗り物酔いはしないが、隣の人の足のニオイが強烈で眠れないといったちょっとした非常事態（ただし、当人には意外と切実な問題である場合が多い）にも役立つことがある。密閉空間の乗り物や悪臭で逃げ場がない場所へ行くときなど、このマスクを携帯しておけば、かなり心強く、安心である。また、流行り廃りがなく、自然に帰る素材（香料）で作れば、環境にもやさしいグッズである。
【００１５】
このマスクは、おそらくクラスに一人か二人くらいの割合で存在する乗り物に弱い人の中の、更に稀な、今までは見過ごされてきたであろう乗り物のニオイが苦手な人にとって、より強い香りによって、乗り物酔いを抑えられるという効果がある。また、間接的に、その稀な各個人が本来持っている積極性の開花にもつながると信じるものである。
【００１６】
香料パックをマスクに挿入し、車などの乗り物に乗る際または悪臭から逃れられない場所に行く際など、事前にマスクを着用するだけである。ニオイが苦手で乗り物酔いをしてしまう人が香料パック入りのマスクをするだけという実に手軽な手段で車などの気になるニオイを感じなくなり、乗り物酔いが防止できるなら、こんなに簡単な解決方法はないと思われる。軽量であるため荷物にならず、持ち運びも便利で、薬の服用とは関係なく乗り物酔い防止の効果が期待される。また、年少者の場合は薬が苦手というケースも多いが、このマスクの場合、薬は不要であり、どんな薬であれ、薬を服用させることに抵抗がある親御さんにも安心していただける体にやさしいグッズである。
【図面の簡単な説明】
【００１７】
【図１】上部が開く形状のガーゼ製マスクを示した全体図である。
【図２】使い捨て不織布マスクの表面側を示した全体図である。
【図３】使い捨て不織布マスクの裏面側を示した全体図である。
【図４】使い捨て不織布立体マスクの斜視図である。
【図５】使い捨て不織布立体マスクの裏面側を示した全体図である。
【図６】鼻マスクの斜視図である。
【図７】鼻マスクの表面側を示した全体図である。
【図８】鼻マスクの裏面側を示した全体図である。
【考案を実施するための形態】
【００１８】
以下に本考案の具体的な実施の形態を添付図面に基づき説明する。
【実施例１】
【００１９】
図１に示すように本考案のマスク本体（１）はマスク素材を幾重かに折りたたみ、大きさや厚みを整える。その際、外側はやや厚めにし、周囲に香りが漏れないように調節する。内側は逆に最大限香りを引き出せるように薄めに調節する。本体（１）の左右にゴム通し部を作り、ゴムを通す。本体（１）は下底部（４）が閉じている袋状にし、本体（１）の上部（３）にパック挿入部（２）として開口部を設ける。マスク本体（１）の素材には、ガーゼを使用する。形成したマスク本体（１）にチョコレートや、バニラエッセンス、イチゴ香料、オレンジ香料、ミント、コーヒーなどを入れた香料パック（５）を挿入する。
【実施例２】
【００２０】
図２〜図５示したマスクにおいては、図に示すようにマスクの内側にパック挿入部（２）としてポケットを設け、香料パック（５）を挿入する。マスク本体（１）の外側素材には、不織布を使用し、内側ポケット素材には不織布等メッシュ素材を使用する。
【００２１】
香料パック（５）には、チョコレートのような、やや強めの香りがして、周囲の不快なニオイを打ち消すのに十分な程度の香料を挿入する。香料は24時間効果が持続することでその目的を達成する。また使用者の好みの香りに変えられるように、複数の代替香料を予め用意しておくとより良い。また、ゴムがきついものは望ましくない。顔にフィットして、尚且つ、締め付けないことが大切である。
【実施例３】
【００２２】
図１〜図５は鼻と口を覆う通常タイプのマスクであるが、図６〜図８は鼻のみを覆うタイプのマスクである。図１〜図５のマスクは手が自由になるのに対し、図６〜図８のマスクは口も自由になるため、会話や飲食も自由にできる。この図において、パック挿入部は、鼻孔の下底部まで達するような形状にすることが好ましく、吸気は下底部を通る。
【産業上の利用可能性】
【００２３】
本考案にかかるマスクは、乗り物酔いなどに苦しむ人の需要が期待され、その産業価値は大きい。
【符号の説明】
【００２４】
１・・・・・マスク本体
２・・・・・パック挿入部（開口部）
３・・・・・マスク上部
４・・・・・マスク下底部
５・・・・・香料パック
６・・・・・ゴムまたは耳ひも
７・・・・ノーズワイヤー
【図１】
0003177385.tif 000003
【図２】
0003177385.tif 000004
【図３】
0003177385.tif 000005
【図４】
0003177385.tif 000006
【図５】
0003177385.tif 000007
【図６】
0003177385.tif 000008
【図７】
0003177385.tif 000009
【図８】
0003177385.tif 000010